(57)【要約】【課題】ペット洗浄をペットに多用すると問題のある界面活性剤といったものが入ったシャンプーなどを使わずにしかもペットが暴れないように人の手間を最小限にするペット洗浄装置、方法を提供する。【解決手段】ペット洗浄をする際にペット洗浄浴槽にペットを暴れないように固定するペット収容手段を設けておき、さらにオゾンを含む気体を生成する気体生成手段、この気体をオゾンを含む細かい気泡にする気泡生成手段を設け洗浄浴槽の流体に気泡を放出することによりペットをシャンプー等の洗浄剤を使用せずに行うことが可能となる。【選択図】  図１
2008259438.tif 000002
【特許請求の範囲】
【請求項１】
ペット用洗浄装置であって、流体を蓄積する浴槽、ペット収容可能な浴槽の流体中にオゾンを含む気泡を放出する気泡放出手段、該オゾンを含む気泡を発生させる気泡発生手段、該浴槽にペットを収容するペット収容手段有し、前記気泡により浴槽に収納されたペットを洗浄することを特徴とするペット用洗浄装置およびペット洗浄方法
【請求項２】
前記ペット収容手段はペットが暴れるのを防ぐため浴槽内においてペット固定手段を有していることを特徴とする特許請求範囲第1項記載のペット用洗浄装置およびペット洗浄方法
【請求項３】
前記ペット固定手段は浴槽に1以上の凹部を設け該凹部に脱着可能なペット固定用バーをセットすることによってペットを固定することを特徴とする特許請求範囲第２項記載のペット用洗浄装置およびペット洗浄方法
【請求項４】
前記凹部にバーをセットした際にバーを固定するために凹部近傍にバー固定手段を有していることを特徴とする特許請求範囲第３項記載のペット用洗浄装置およびペット洗浄方法
【請求項５】
前記バーはペットの足の近傍両側、あるいは胴体の近傍あるいはその両者配置することにより自由に該ペットが動けなくなるようにバーを設けてあることを特徴とする特許請求範囲第４項記載のペット用洗浄装置およびペット洗浄方法
【請求項６】
前記オゾンを含む気泡を発生させる気泡発生手段は空気加圧ポンプの吸入側にオゾン発生装置配置し該空気加圧ポンプを配管により浴槽に接続し浴槽に設けられた気泡を生成する気泡穴を多数設けられた気泡生成盤により生成することを特徴とする特許請求範囲第1項記載のペット用洗浄装置およびペット洗浄方法
【請求項７】
前記浴槽には臭気生成装置が設けられていることを特徴とする特許請求範囲第１項記載のペット用洗浄装置およびペット洗浄方法
【請求項８】
前記浴槽には遠赤外線放出手段を有していることを特徴とする特許請求範囲第１項記載のペット用洗浄装置およびペット洗浄方法
【発明の詳細な説明】
【技術分野】
【０００１】
本発明は汚れたペットを洗うペット用洗浄に装置および洗浄方法に関する。
【背景技術】
【０００２】
従来ペットを汚れた際に洗うためには風呂等に入れて人が洗うかあるいは専用のペット洗浄バスというものが存在した。特にペットでも代表的な犬は皮膚が弱く過度に界面活性剤等が入ったシャンプー等を多用すると皮膚に問題を生ずる可能性がある。またペットが洗浄するために浴槽に入れても暴れたりして飛び出してしまうことがある。そのために人がペットを押さえているといった手間がかかるなどという問題があった。
【０００３】
例えば特開２００２−３６２９０６においてはオゾン等を用いて各種（食器。ペット等）対象を洗浄する例が示されているが汎用であるためペットに使用しようとした場合不都合が生じるのが実際であった。
【０００４】
【特許文献１】特開２００２−３６２９０６
【発明の開示】
【発明が解決しようとする課題】
【０００５】
本発明は、上記の点に鑑みなされたものであり、ペットをシャンプーなどといったものを使用せずにさらに手間がかからずに簡便に洗浄する装置、方法が待ち望まれていた。
【課題を解決するための手段】
【０００６】
前述の課題を解決するために本発明者は鋭意研究の結果以下の手段をとった。すなわちペット用洗浄装置であって、お湯などの流体を蓄積する浴槽とその浴槽にペット収容可能とし浴槽の流体中にオゾンを含む気泡を放出する気泡放出手段そして該オゾンを含む気泡を発生させる気泡発生手段、さらにこの浴槽にペットを収容するペット収容手段を設けておき、前述の気泡により浴槽に収納されたペットを洗浄するようにすればよい。
【０００７】
さらに前述のペット収容手段はペットが暴れるのを防ぐため浴槽内においてペット固定手段を設けておけばよい。このペット固定手段は浴槽に1以上の凹部を設け該凹部に脱着可能なペット固定用バーをセットすることによってペットを固定するようにすればよい。
【０００８】
この凹部にバーをセットした際にバーがペットが暴れた時外れるのを防ぐためにこのバーを固定するために凹部近傍にバー固定手段を設けておけばよい。このバーはペットの足の近傍両側、あるいは胴体の近傍あるいはその両者配置することにより自由に該ペットが動けなくなるようにバーを設けておけばよい。前述のオゾンを含む気泡を発生させる気泡発生手段は空気加圧ポンプの吸入側にオゾン発生装置配置し該空気加圧ポンプを配管により浴槽に接続し浴槽に設けられた気泡を生成する気泡穴を多数設けられた気泡生成盤により生成すればよい。
【０００９】
また前述の浴槽にはペットがおとなしくなるような匂いを生成するために臭気生成装置が設けておけばペットがおとなしく洗浄することが可能となる。さらに浴槽には遠赤外線放出手段を設けておけばペットに対して温熱効果、血行促進の効果が期待できる。
【発明の効果】
【００１０】
本発明によれば界面活性剤の入ったシャンプーなどを使うことなくさらに人がペットを押さえつけたりすることなくペットを固定し臭気でペットをおとなしくさせ容易に洗浄することが可能となる。
【発明を実施するための最良の形態】
【００１１】
以下に図面に基づいてさらに詳しく説明をしていく。
【実施例】
【００１２】
図１はペットを洗浄している様子示した図であり、１１は浴槽、１２はペット、１３は気泡生成部であり１４はその気泡生成部にオゾンを含む気体を導入する配管であり１５はオゾンを含む気泡を発生するための気体生成部である。
【００１３】
１６はペットを固定するためのバーであり浴槽の壁面に着脱可能で固定されておりそれぞれ前足、後ろ足、背中部を固定することによりペットが動けないようにしている。
【００１４】
１７はペットをおとなしくさせるための臭気を生成する臭気生成部であり、ペットの鼻先に臭気を供給している。浴槽１１にはお湯１８がためられており１３の気泡生成部からオゾンを含む気泡が発生している。この気泡が割れるときに超音波を発生しさらに洗浄効果が高くなる。１９は遠赤外線のチップであり、ペットに対して温熱効果、血行促進をさせる働きがある。本実施例では気泡生成部に設けたがこれに限られるものではなく例えば浴槽の筐体等の他の場所に設けてもよい。
【００１５】
次にオゾンを含む気泡の生成について説明するがその様子を図２に示した。ここで１５は図１の気体生成部であり、１３は同様に浴槽１１に沈めてある気泡発生部であり、１５の気体生成部から１３の気泡発生部には１４の気体配管で気体を導入する。気体生成部１５内には２３の加圧ポンプを設けておき加圧ポンプの吸入側にオゾン導入配管２３を経て２４のオゾン生成部が設けてある。図３には図１の浴槽に沈めてある気泡発生部１３を示したがオゾンを含む気体を１４の配管により導入しこのオゾンを含む気体を細孔３３から噴出させることによって気泡を発生させる。本実施例では気体発生部と浴槽は別体となっているがこれに限られるものではなく気体発生部を浴槽と同じ筐体に設けてもよい。
【００１６】
次にペットを固定するためのバーの固定方法について説明するがその様子を図４と図５に示した。図４及び図５の１１は浴槽であり４１は浴槽に設けられたペットを固定するバー１６のハウジング部である。４１は回転可能なストッパーであり図４はバー１６をハウジング部にストッパーで固定しているところであり、図５はハウジング部にバーを格納しストッパーを閉じていない状態である。本実施例ではペットをバーで固定しているがこれに限られるものではない。
【００１７】
次に図１の臭気を生成する臭気生成部１７の方法について説明するがその様子を図６に示したがここで６３は臭気を出す固体であり、６２はヒーターでありこのヒーターにより６３の臭気源の固体を加熱することよって蒸散させ臭気を生成する。本実施例では臭気生成の方法はヒーター過熱により蒸散により行っているがこれに限られるものではなく例えば常温で揮発する液体といったものでもよい。
【図面の簡単な説明】
【００１８】
【図１】本発明の概要図
【図２】気泡の生成の説明図
【図３】気泡生成部
【図４】固定バーのセット（ストッパーがかけてある状態）
【図５】固定バーのセット（ストッパーがかけてない状態）
【図６】臭気生成の方法
【符号の説明】
【００１９】
１１    浴槽
１２    ペット
１３    気泡生成部
１４    気体導入管
１５    気体生成部
１６    固定バー
１７    臭気生成部
１８    お湯
１９    遠赤外線発生チップ
２３    加圧ポンプ
２４    オゾン生成部
２５    オゾン導入管
３３    気泡生成の細孔
４１    固定バーストッパー
６２    加熱用ヒーター
６３    臭気蒸散用固体
【図１】
2008259438.tif 000003
【図２】
2008259438.tif 000004
【図３】
2008259438.tif 000005
【図４】
2008259438.tif 000006
【図５】
2008259438.tif 000007
【図６】
2008259438.tif 000008